(57)【要約】【課題】  額縁全体の大幅なサイズダウンを図り、額縁の設置性及び低コスト性を飛躍的に高める。勲記の品格を高めるとともに、加えてユニーク性やオリジナル性を高める。【解決手段】  額縁枠部２により保持される透明板３と背面板４間に勲記Ｍｐを収容する勲記収容部５と、勲章Ｍｍを保持する勲章保持部６とを、少なくとも一体に設けてなる叙勲用額縁１を構成するに際し、透明板３の前面３ｆであって、勲記収容部５に収容された勲記Ｍｐに表示される勲章図案部Ｍｐｍ又はこの勲章図案部Ｍｐｍに関連する部位の前方に、勲章Ｍｍを保持する勲章保持具７を取付けることにより勲章保持部６を構成する。【選択図】  図１
2020031751.tif 000002
【特許請求の範囲】
【請求項１】
額縁枠部により保持される透明板と背面板間に勲記を収容する勲記収容部と、勲章を保持する勲章保持部とを、少なくとも一体的に設けてなる叙勲用額縁において、前記透明板の前面であって、前記勲記収容部に収容された前記勲記に表示される勲章図案部又はこの勲章図案部に関連する部位の前方に、前記勲章を保持する勲章保持具を取付けることにより前記勲章保持部を構成してなることを特徴とする叙勲用額縁。
【請求項２】
前記勲章保持具は、前記勲章の少なくとも綬部を吊下げる保持金具を用いることを特徴とする請求項１記載の叙勲用額縁。
【請求項３】
前記額縁枠部は、内縁部の形状を、前記勲記の外形にほぼ一致させることを特徴とする請求項１記載の叙勲用額縁。
【請求項４】
前記透明板の前面であって、前記勲記収容部に収容された前記勲記に表示される菊紋章図案部又はこの菊紋章図案部に関連する部位の前方に、菊紋章アイテムを固定してなることを特徴とする請求項１記載の叙勲用額縁。
【請求項５】
前記透明板の前方に所定間隔を置いて配し、かつ額縁枠部により保持される透明保護板を備えることを特徴とする請求項１又は４記載の叙勲用額縁。
【請求項６】
前記所定間隔は、勲章ケースを収納可能な大きさに選定し、前記透明板と前記透明保護板間の空間の一部を勲章ケース収納部として構成することを特徴とする請求項５記載の叙勲用額縁。
【発明の詳細な説明】
【技術分野】
【０００１】
本発明は、額縁枠部により保持される透明板と背面板間に勲記を収容する勲記収容部と、勲章を保持する勲章保持部とを備える叙勲用額縁に関する。
【背景技術】
【０００２】
一般に、国から授与される叙勲には、勲章と勲記が含まれることから、勲章と勲記を一緒に収容できる専用の叙勲用額縁も各種提供されている。
【０００３】
従来、この種の叙勲用額縁としては、特許文献１に開示される額縁及び特許文献２に開示される叙勲額が知られている。特許文献１に開示される額縁は、外方へ張り出す外枠の枠体をなくしてマンション室内でもスペース確保が容易で、さらに軽量化を進めて吊るし易く、扱い易くし、且つ落ちても割れないことを目的としたものであり、具体的には、樹脂製の透視板と、透視板の裏面側で、その外周縁から内側中央に向かう膜幅を有し、中央側を中空部にして外周縁の周囲を枠状に囲う塗膜又はフィルムで形成され、透視板裏面に固着一体化される不透明の縁飾り用皮膜と、皮膜に係る内周縁部分の裏面を露出部分として残して、皮膜裏面に被着一体化される枠状の堤部と、透視板と別体の板伏体にして、主要部を中空部におさまる透視板の透視裏面に当てるように配されるシート状飾品ヘ、押え面側があてがわれ、かつ背面側外周部が堤部に設けた止具により係止されて、堤部に保持される裏当て材とにより構成されたものである。
【０００４】
また、特許文献２に開示される叙勲額は、和室における鴨居と天井板との間の寸法が限られているときでも、鴨居に乗せて飾ることができ、かつ、壁面からの前方ヘの傾斜角度を従来の叙勲額よりも小さくすることを目的としたものであり、具体的には、略四角形の枠体内には勲章を収納する勲章収納部と勲記を収納する勲記収納部とを備えさせ、該勲章収納部には勲章を見せるための長方形状の勲章用開口部を前面に備えさせ、該勲記収納部には勲記を見せるための長方形状の勲記用開口部を前面に備えさせ、該勲章用開口部及び該勲記用開口部と枠体との間の部分並びに該勲章用開口部と該勲記用開口部との間の部分には飾り板を配設してなる叙勲額において、該勲記は、該勲記の上縁と下縁とが該勲記用開口部の上方と下方とにおける該飾り板の後側にて該枠体の内面に近接又は当接するように配設して構成されたものである。
【先行技術文献】
【特許文献】
【０００５】
【特許文献１】特開２０１４−６１０７６号公報
【特許文献２】実用新案登録第３１７６１４８号公報
【発明の概要】
【発明が解決しようとする課題】
【０００６】
しかし、上述した額縁をはじめ、従来におけるこの種の額縁は、いずれも次のような問題点があった。
【０００７】
第一に、従来の額縁は、図１２（ｂ）に符号１００で示すように、勲記Ｍｐを配置する第一の配置部Ａｆと勲章Ｍｍを配置する第二の配置部Ａｓを左右に並べ、更に、これらの周りに化粧面Ａｍを設けるとともに、この化粧面Ａｍの周りを額縁枠部１０１により覆う構成のため、全体のサイズが大きくなる傾向がある。特に、勲記Ｍｐはかなり大きめの証書となり、額縁１００全体の横幅Ｌｗｒは１〔ｍ〕近くにもなる。上述した特許文献１及び２は、いずれも額縁全体のサイズダウンを目的としたものであることを考慮すれば、この種の額縁のサイズダウンは、設置性及び低コスト性を高める観点からも重要な課題の一つとなる。
【０００８】
第二に、図１２（ｂ）に示すように、従来の額縁１００は、勲記Ｍｐと勲章Ｍｍを左右に並べてレイアウトする構成のため、勲記Ｍｐと勲章Ｍｍを単に同一面上に配置するに留まるとともに、それ以外の化粧面Ａｍも平面的な模様を付加する構成に留まる。したがって、叙勲用額縁としてのユニーク性及びオリジナル性を高める観点からも、更なる改善の余地があった。
【０００９】
本発明は、このような背景技術に存在する課題を解決した叙勲用額縁の提供を目的とするものである。
【課題を解決するための手段】
【００１０】
本発明は、上述した課題を解決するため、額縁枠部２により保持される透明板３，３ｅと背面板４間に勲記Ｍｐを収容する勲記収容部５と、勲章Ｍｍを保持する勲章保持部６とを、少なくとも一体に設けてなる叙勲用額縁１を構成するに際して、透明板３，３ｅの前面３ｆ，３ｅｆであって、勲記収容部５に収容された勲記Ｍｐに表示される勲章図案部Ｍｐｍ又はこの勲章図案部Ｍｐｍに関連する部位の前方に、勲章Ｍｍを保持する勲章保持具７を取付けることにより勲章保持部６を構成してなることを特徴とする。
【００１１】
この場合、発明の好適な態様により、勲章保持具７は、勲章Ｍｍの少なくとも綬部Ｍｍｒを吊下げる保持金具７ｓ，７ｔを用いることができる。また、額縁枠部２は、内縁部２ｉの形状を、勲記Ｍｐの外形にほぼ一致させることが望ましい。一方、透明板３，３ｅの前面３ｆ，３ｅｆであって、勲記収容部５に収容された勲記Ｍｐに表示される菊紋章図案部Ｍｐｋ又はこの菊紋章図案部Ｍｐｋに関連する部位の前方に、菊紋章アイテムＫを固定することができる。さらに、透明板３の前方に所定間隔Ｌｉを置いて配し、かつ額縁枠部２により保持される透明保護板３ｐを設けることができるとともに、この所定間隔Ｌｉは、勲章ケースＣｍを収納可能な大きさに選定し、透明板３と透明保護板３ｐ間の空間の一部を勲章ケース収納部８として構成することができる。
【発明の効果】
【００１２】
このような構成を有する本発明に係る叙勲用額縁１によれば、次のような顕著な効果を奏する。
【００１３】
（１）  勲章保持部６を構成するに際し、透明板３，３ｅの前面３ｆ，３ｅｆであって、勲記収容部５に収容された勲記Ｍｐに表示される勲章図案部Ｍｐｍ又はこの勲章図案部Ｍｐｍに関連する部位の前方に、勲章Ｍｍを保持する勲章保持具７を取付けてなるため、従来のような勲章を配置する第二の配置部を実質的に無くすことができる。この結果、額縁１全体の大幅なサイズダウンを図ることができるとともに、額縁１の設置性及び低コスト性を飛躍的に高めることができる。
【００１４】
（２）  勲記Ｍｐに表示される勲章図案部Ｍｐｍの前方に勲章Ｍｍを保持することができるため、勲章図案部Ｍｐｍを隠した状態で、その前方に実際の勲章Ｍｍを浮き上がらすことができる。この結果、立体感を醸し出すことが可能となり、勲記Ｍｐの品格を高めることができる。しかも、勲章Ｍｍは、勲記Ｍｐにおける勲章図案部Ｍｐｍの位置に配することができるため、勲記Ｍｐに対して違和感なくマッチングさせることが可能になるなど、叙勲用額縁１としてのユニーク性及びオリジナル性を高めることができる。
【００１５】
（３）  好適な態様により、勲章保持具７として、勲章Ｍｍの少なくとも綬部Ｍｍｒを吊下げる保持金具７ｓ，７ｔを用いれば、佩用金具と同様に、容易に取付けることができるとともに、勲章Ｍｍを、違和感なく確実に取付ける（保持する）ことができる。
【００１６】
（４）  好適な態様により、額縁枠部２における内縁部２ｉの形状を、勲記Ｍｐの外形にほぼ一致させれば、勲記Ｍｐの外形に沿わせた形状となる額縁枠部２を構成できるため、理論上、製作し得る最小形状とすることができる。
【００１７】
（５）  好適な態様により、透明板３，３ｅの前面３ｆ，３ｅｆであって、勲記収容部５に収容された勲記Ｍｐに表示される菊紋章図案部Ｍｐｋ又はこの菊紋章図案部Ｍｐｋに関連する部位の前方に、菊紋章アイテムＫを固定すれば、透明板３，３ｅの前面３ｆ，３ｅｆに、勲章Ｍｍと一緒に菊紋章アイテムＫを配置できるため、従来における勲章を配置する第二の配置部に対して質的及び量的にも同等の内容にすることができる。しかも、勲記Ｍｐに表示される菊紋章図案部Ｍｐｋを隠した状態で、その前方に菊紋章アイテムＫを浮き上がらすことができるため、立体感を醸し出すことが可能となり、勲記Ｍｐの品格をより高めることができる。加えて、菊紋章アイテムＫは、勲記Ｍｐにおける菊紋章図案部Ｍｐｋの位置に配することができるため、勲記Ｍｐに対して違和感なくマッチングさせることができるなど、叙勲用額縁１としてのユニーク性及びオリジナル性をより高めることができる。
【００１８】
（６）  好適な態様により、透明板３の前方に所定間隔Ｌｉを置いて配し、かつ額縁枠部２により保持される透明保護板３ｐを設ければ、勲章Ｍｍ及び菊紋章アイテムＫを外的に保護できるため、より望ましい勲章保持部６として機能させることができる。
【００１９】
（７）  好適な態様により、所定間隔Ｌｉとして、勲章ケースＣｍを収納可能な大きさに選定し、透明板３と透明保護板３ｐ間の空間の一部を勲章ケース収納部８として構成すれば、勲章ケース収納部８に勲章ケースＣｍを収納できるため、勲章Ｍｍ及び菊紋章アイテムＫと一緒に勲章ケースＣｍも保存することができる。
【図面の簡単な説明】
【００２０】
【図１】本発明の好適実施形態に係る叙勲用額縁の一部抽出拡大図を含む全体の正面図、
【図２】同叙勲用額縁の一部抽出拡大図を含む側面断面図、
【図３】同叙勲用額縁を分解した状態の側面断面図、
【図４】同叙勲用額縁における菊紋章アイテムの周辺断面図を含む側面図、
【図５】同叙勲用額縁における勲章保持具の機能説明用の側面断面図（図６中、Ｘ−Ｘ線断面）、
【図６】同叙勲用額縁における勲章保持具の機能説明用の平面断面図、
【図７】同叙勲用額縁に勲章保持具及び菊紋章アイテムを取付けない状態であって勲記を収容した状態の参考正面図、
【図８】同叙勲用額縁に勲記及び勲章を収容（保持）した状態の正面図、
【図９】同叙勲用額縁における勲章保持具に勲章を保持した状態の正面図、
【図１０】同叙勲用額縁の変更例を示す分解図を含む側面断面図、
【図１１】同叙勲用額縁に用いる勲章保持具の変更例を示す構造説明図、
【図１２】同叙勲用額縁と背景技術に係る叙勲用額縁の対比図、
【発明を実施するための形態】
【００２１】
次に、本発明に係る好適実施形態を挙げ、図面に基づき詳細に説明する。
【００２２】
まず、本実施形態に係る叙勲用額縁１の基本構成について、図１〜図３を参照して説明する。
【００２３】
叙勲用額縁１は、図１〜図３に示すように、基本構成として、額縁枠部２（枠部本体２ｍ，マット枠２ｓ），透明板３，透明保護板３ｐ及び背面板４を備える。なお、例示する叙勲用額縁１の正面形状における全体の大きさは、縦４４７〔ｍｍ〕×横６２４〔ｍｍ〕である。
【００２４】
額縁枠部２は、枠部本体２ｍとマット枠２ｓの組合わせにより構成する。枠部本体２ｍは、木質材等により全体を矩形枠体として構成し、少なくとも正面及び側面周りは化粧仕上げするとともに、図３に示すように、内縁には後面側から段差部を形成することにより、後面側から、後述する透明保護板３ｐ及びマット枠２ｓ、更には、勲記Ｍｐ及び背面板４を収容可能な凹部状の保持段部１１を形成する。なお、枠部本体２ｍの後面には、複数の止め具１３…及び図示を省略した吊下具が取り付けられている。
【００２５】
マット枠２ｓは、図２に示すように、木質材等により、全体を矩形枠体として構成し、枠部本体２ｍの保持段部１１に嵌合する外形に形成する。また、マット枠２ｓの内縁は傾斜面に形成して化粧仕上げするとともに、図３に示すように、内縁には後面側から段差部を形成することにより、後面側から、後述する透明板３を収容（嵌合）可能な凹部状の保持段部１２を形成する。
【００２６】
透明板３は、ガラス板又は透明樹脂プレート板を用いて形成することができる。例示の透明板３には、厚さ１．８〔ｍｍ〕のアクリル板を用いた。この透明板３は、全体を矩形に形成し、上述したマット枠２ｓに形成した保持段部１２の中に収容可能に形成する。また、透明保護板３ｐも、ガラス板又は透明樹脂プレート板を用いて形成することができる。例示の透明保護板３ｐには、透明板３と同様に、厚さ１．８〔ｍｍ〕のアクリル板を用いた。この透明保護板３ｐは、全体を矩形に形成し、上述した枠部本体２ｍに形成した保持段部１１の中に収容可能に形成する。
【００２７】
背面板４は、図３に仮想線で示す勲記Ｍｐの裏面を保持する機能を有しており、全体の形状は、上述したマット枠２ｓとほぼ同じとなる。この背面板４は、一定の剛性を有するプレート材として形成する。したがって、プレート材の素材としては、木質素材，合成樹脂素材，紙質素材等の各種素材を利用可能であり、単一素材であるか複合素材であるかは問わない。この場合、複合素材には、複数の素材を混合した混合素材及び異なる複数の単一素材を積層して用いる場合を含む概念である。
【００２８】
これにより、図３に示すように、マット枠２ｓの保持段部１２に保持される透明板３と背面板４間に、仮想線で示す勲記Ｍｐを収容できる勲記収容部５を構成することができる。また、透明板３はマット枠２ｓの保持段部１２に保持されるとともに、このマット枠２ｓの前面に透明保護板３ｐが当接するため、透明板３の前面３ｆに、後述する勲章Ｍｍ及び菊紋章アイテムＫを保持する保持機能を持たせれば、透明板３の前面３ｆを、勲章保持部６として構成することができる。さらに、このような構成を有するため、図２に示すように、マット枠２ｓの前面に当接する透明保護板３ｐと保持段部１２に収容された透明板３間は、所定間隔Ｌｉが確保されるように選定する。特に、この所定間隔Ｌｉは、図３に示す勲章ケースＣｍを収納可能な大きさに選定する。これにより、透明板３と透明保護板３ｐ間の空間の一部を図１に示す勲章ケース収納部８として構成することができる。
【００２９】
このように、透明板３の前方に所定間隔Ｌｉを置いて配し、かつ額縁枠部２により保持される透明保護板３ｐを設ければ、勲章Ｍｍ及び菊紋章アイテムＫを外的に保護できるため、より望ましい勲章保持部６として機能させることができるとともに、所定間隔Ｌｉとして、勲章ケースＣｍを収納可能な大きさに選定し、透明板３と透明保護板３ｐ間の空間の一部を勲章ケース収納部８として構成すれば、勲章ケース収納部８に勲章ケースＣｍを収納できるため、勲章Ｍｍ及び菊紋章アイテムＫと一緒に勲章ケースＣｍも保存することができる利点がある。
【００３０】
このような構成により、額縁枠部２における内縁部２ｉの形状は、勲記Ｍｐの外形にほぼ一致する。したがって、額縁枠部２は、勲記Ｍｐの外形に沿わせた形状となり、理論上、製作し得る最小形状とすることができる。なお、この場合、額縁枠部２における内縁部２ｉとは、枠部本体２ｍの内縁部又はマット枠２ｓの内縁部を含む概念である。
【００３１】
次に、本実施形態に係る叙勲用額縁１の要部の構成について、図１〜図９を参照して説明する。
【００３２】
最初に、本実施形態に係る叙勲用額縁１の理解を容易にするため、勲章Ｍｍと勲記Ｍｐの概要について説明する。
【００３３】
勲章Ｍｍの一例を図５及び図９に示す。勲章Ｍｍは、通常、勲章本体Ｍｍｂとこの勲章本体Ｍｍｂの上端に設けた綬部（リボン部）Ｍｍｒにより構成される。例示する勲章Ｍｍの場合、綬部Ｍｍｒは、図９に示すように、逆三角形状に折り畳まれており、上端部には、ピン等を挿通させることができる折部Ｍｍｒｋが設けられている。これにより、勲章Ｍｍは、この折部Ｍｍｒｋを用いて、図５及び図９に示す保持金具７ｓ（勲章保持具７）に掛けることができる。
【００３４】
勲記Ｍｐの一例を図７及び図１２（ｂ）に示す。通常、勲記Ｍｐは、上質紙面に文字及び図案等が表示された一枚の証書として構成される。特に、勲記Ｍｐの場合、図７に示すように、左右中央の上部位置に、図案として菊紋章が描かれた菊紋章図案部Ｍｐｋが表示され、また、左右中央位置における下部位置に、図案として勲章Ｍｍが描かれた勲章図案部Ｍｐｍが表示されている。
【００３５】
次に、本実施形態に係る叙勲用額縁１の要部構成について具体的に説明する。まず、前述した透明板３の前面３ｆには、図１〜図３に示すように、左右中央の下部位置に、勲章保持具７を取付ける。これにより、透明板３の前面３ｆに、勲章Ｍｍを保持する勲章保持部６が設けられる。
【００３６】
例示の場合、勲章保持具７として、勲章Ｍｍの少なくとも綬部Ｍｍｒを吊下げることができる保持金具７ｓを用いた。実施形態の保持金具７ｓは、図１，図５及び図６に示すように、長手方向の一端に固定部２１ｃを突出形成し、かつ他端に係止部２１ｓを突出形成した細長いベースプレート部２１を備え、この固定部２１ｃに、ベースプレート部２１に対して平行に配した支持ピン部２２の一端２２ｃを固定するとともに、自由端となる支持ピン部２２の他端（先端）２２ｓを、係止部２１ｓに対して係止可能に構成した。したがって、支持ピン部２２は、一定の弾性を有することにより、図６に仮想線で示すように、弾性変形可能である。また、係止部２１ｓの内面には、支持ピン部２２の先端２２ｓを開口部２１ｓｏから収容して係止可能なＶ字面に形成した係止面２１ｓｃを有する。
【００３７】
そして、この保持金具７ｓ（勲章保持具７）は、接着材１６により、透明板３の前面３ｆに取付ける。例示の接着材１６には両面接着テープを用いた。したがって、ベースプレート部２１の裏面を、両面接着テープを用いた接着材１６を介して透明板３の前面３ｆに固定することができる。固定位置は、上述したように、左右中央の下部位置を選定する。図８に示すように、勲記Ｍｐにおける左右中央の下部位置には、勲章図案部Ｍｐｍが表示されているため、透明板３の前面３ｆであって、勲記収容部５に収容された勲記Ｍｐにおける勲章図案部Ｍｐｍの前方は、正面から見て、勲章図案部Ｍｐｍを隠す位置として選定することができる。
【００３８】
この保持金具７ｓは、支持ピン部２２を有するため、勲章Ｍｍの綬部Ｍｍｒに設けた折部Ｍｍｒｋに、支持ピン部２２を挿通させることにより、勲章Ｍｍを吊下げて保持することができる。勲章保持具７として、このような保持金具７ｓを用いれば、佩用金具と同様に、容易に取付けることができるとともに、勲章Ｍｍを、違和感なく確実に取付ける（保持する）ことができる。なお、このような保持金具７ｓは一例であり、通常の佩用金具の一部を改良して用いることもできる。
【００３９】
一方、透明板３の前面３ｆにおける左右中央の上部位置には、図１及び図４に示すように、菊紋章アイテムＫを固定する。この菊紋章アイテムＫは、図４に示すように、一定の厚みを有し、かつ表面に金メッキを施したバッジ状に形成したものであり、接着材１５により、透明板３の前面３ｆに接着（固定）する。例示の場合、接着材１５として両面接着テープを用いた。また、透明板３における固定位置は、上述したように、左右中央の上部位置を選定する。図７に示すように、勲記Ｍｐにおける左右中央の上部位置には、菊紋章図案部Ｍｐｋが表示されているため、透明板３の前面３ｆであって、勲記収容部５に収容された勲記Ｍｐにおける菊紋章図案部Ｍｐｋの前方は、正面から見て、菊紋章図案部Ｍｐｋを隠す位置として選定することができる。
【００４０】
したがって、この位置に菊紋章アイテムＫを固定すれば、勲章Ｍｍと一緒に菊紋章アイテムＫを配置できるため、従来における勲章を配置する第二の配置部に対して質的及び量的にも同等の内容にすることができる。即ち、上側に、菊紋章アイテムＫを配し、下側に、勲章Ｍｍを配することができる。しかも、勲記Ｍｐに表示される菊紋章図案部Ｍｐｋを隠した状態で、その前方に菊紋章アイテムＫを浮き上がらすことができるため、立体感を醸し出すことが可能となり、勲記Ｍｐの品格をより高めることができる。加えて、菊紋章アイテムＫは、勲記Ｍｐにおける菊紋章図案部Ｍｐｋの位置に配することができるため、勲記Ｍｐに対して違和感なくマッチングさせることができるなど、叙勲用額縁１としてのユニーク性及びオリジナル性をより高めることができる。
【００４１】
なお、この菊紋章アイテムＫは、叙勲用額縁１の一部として、予め、固定した状態に製作することが望ましいが、本願発明の必須要素となるものではない。したがって、必要に応じて、固定された菊紋章アイテムＫを離脱（剥離）することにより、他の菊紋章アイテムを固定してもよいし、購入後、ユーザーが任意に選んだ菊紋章アイテムＫ、或いは他のアイテムを固定できるようにしてもよい。
【００４２】
このように、透明板３の前面３ｆに、菊紋章アイテムＫと勲章保持具７（保持金具７ｓ）を取付けた状態が図１及び図２に示す形態、即ち、本実施形態に係る完成された叙勲用額縁１となる。
【００４３】
次に、このように構成する叙勲用額縁１の使用方法について、図１〜図９を参照して説明する。
【００４４】
まず、叙勲用額縁１は、図３に示すように、額縁枠部２（枠部本体２ｍ）の後面に設けた止め具１３…を固定解除側へ操作し、枠部本体２ｍから、背面板４，透明板３を離脱する。なお、マット枠３ｓ及び透明保護板３ｐは離脱することを要しないため、枠部本体２ｍの保持段部１１に対して収容した状態にしておく。
【００４５】
そして、透明板３の前面３ｆに対して、勲章Ｍｍの取付けを行う。この場合、図６に示すように、保持金具７ｓにおける支持ピン部２２の先端２２ｓを、係止部２１ｓから外し、勲章Ｍｍにおける綬部Ｍｍｒの折部Ｍｍｒｋに挿入する（矢印Ｆｓ方向）。そして、完全に挿通させたなら、支持ピン部２２の先端２２ｓを、係止部２１ｓの係止面２１ｓｃに係止させる。これにより、図９に示すように、保持金具７ｓに勲章Ｍｍを吊下げて保持することができる。
【００４６】
次いで、透明板３を、前面３ｆ側からマット枠３ｓの保持段部１２に対して収容する。この際、勲章ケースＣｍを保存したい場合には、透明板３を収容する前、勲章ケースＣｍを透明保護板３ｐの後面に配置する。この配置位置は、図１に示すように、正面から見て左下隅が望ましい。これにより、勲章Ｍｍ及び菊紋章アイテムＫと一緒に勲章ケースＣｍも保存することができる。なお、勲章ケースＣｍと透明板３間に隙間が生じるときは、必要により勲章ケースＣｍの底面と透明板３間にクッション材等を介在させればよい。また、勲章ケースＣｍが不要の場合には収納することを要しない。
【００４７】
次いで、枠部本体２ｍの保持段部１１に勲記Ｍｐを収容し、勲記Ｍｐの表面を、透明板３の後面に重ねる。更に、背面板４を枠部本体２ｍの保持段部１１に収容し、勲記Ｍｐの裏面に重ねる。これにより、全ての収容が終了するため、図２に示すように、止め具１３…を固定側へ操作し、止め具１３…により背面板４を係止固定する。このように、叙勲用額縁１に対する勲記Ｍｐ，勲章ケースＣｍ及び勲章Ｍｍの収納（保持）は、簡易な操作により容易に行うことができる。なお、枠部本体２ｍの後面には、図示を省略した吊下具を備えるため、叙勲用額縁１は、この吊下具に掛けた吊下用の紐等により壁等に吊下げることができる。
【００４８】
他方、図１０及び図１１には、本実施形態に係る叙勲用額縁１の変更例を示す。図１０は、図１〜図９の実施形態に対し、枠部本体２ｍとマット枠２ｓを一体とした額縁枠部２により構成した点、透明保護板３ｐの代わりに、勲章Ｍｍのみを部分的に覆う透明カバー９を用いた点が異なる。
【００４９】
この場合、額縁枠部２の内縁には、後面側から段差部を形成することにより、後面側から、前述した透明板３に対応する透明板３ｅ，勲記Ｍｐ及び背面板４を収容可能な凹部状の保持段部１２ｅを形成する。したがって、この透明板３ｅの前面３ｅｆに、保持金具７ｓ（勲章保持具７）及び菊紋章アイテムＫを保持するとともに、透明板３ｅと背面板４間に勲記Ｍｐを収容することができる。また、透明カバー９は、保持金具７ｓ（勲章保持具７）に付設することができる。即ち、透明カバー９は、全体が偏平な直方体形状となり、一面が開放された容器状となるように、透明合成樹脂素材により一体成形するとともに、透明カバー９の一端（上端）を勲章保持具７に対し、凹凸形状等により着脱できるように構成することができる。これにより、勲章保持具７に勲章Ｍｍを保持した状態で当該勲章Ｍｍを透明カバー９により覆うことができる。
【００５０】
図１１は、勲章保持具７の変更例であり、図５及び図６に示した保持金具７ｓに対して、佩用金具に類似する保持金具７ｔにより構成したものである。図１１（ａ）は、保持金具７ｔの一方のキャッチ部を外した正面図を示すとともに、図１１（ｂ）は、保持金具７ｔの一方のキャッチ部を外した状態の底面図を示す。この保持金具７ｔは、左右一対の留め具２４，２４と、この留め具２４，２４により両端側が支持される支持プレート２７を備える。この場合、一方の留め具２４（他方の留め具２４も同じ）は、中心に針部２４ｂｐが突出した基部２４ｂと、この針部２４ｂｐに着脱可能なキャッチ部２４ｍにより構成する。そして、基部２４ｂの底面には取付ベース２６を固定し、この取付ベース２６を透明板３，３ｅに貫通させた固定ネジ２５により、当該透明板３，３ｅに対して固定するようにした。これにより、支持プレート２７の長手方向両側に設けた孔部に、針部２４ｂｐ…を挿通させた後、キャッチ部２４ｍ…を、針部２４ｂｐ…に装着することにより、支持プレート２７を支持できるとともに、他方、針部２４ｂｐ…からキャッチ部２４ｍ…を離脱することにより、支持プレート２７を取外すことができる。したがって、この支持プレート２７に、前述した保持金具７ｓの支持ピン部２２と同様に、勲章Ｍｍにおける綬部Ｍｍｒの折部Ｍｍｒｋを掛けることができる。
【００５１】
本実施形態に係る叙勲用額縁１は、勲章Ｍｍ及び勲記Ｍｐを収納（保持）することにより、正面から見た全体の外観形態は、図８に示すようになる。この場合、前述した図７に示すように、勲記Ｍｐにおける左右中央の上部位置に、菊紋章図案部Ｍｐｋが表示され、左右中央の下部位置に、勲章図案部Ｍｐｍが表示されるも、菊紋章図案部Ｍｐｋの位置には、菊紋章アイテムＫが配され、勲章図案部Ｍｐｍの位置には、勲章Ｍｍが配されるため、菊紋章図案部Ｍｐｋは、菊紋章アイテムＫにより隠れ、勲章図案部Ｍｐｍは、勲章Ｍｍにより隠れる。この結果、勲記Ｍｐに表示される菊紋章図案部Ｍｐｋと勲章図案部Ｍｐｍは、正面方向から見た場合、それぞれ、実際の菊紋章アイテムＫと実際の勲章Ｍｍに置換されることになる。換言すれば、勲記Ｍｐとしての内容は損なわれることがないとともに、立体感が醸し出されることにより、全体の品格性は向上することになる。
【００５２】
図１２は、本実施形態に係る叙勲用額縁１と背景技術に係る代表的な叙勲用額縁１００を対比して示したものである。本実施形態に係る（ａ）の叙勲用額縁１は、横寸法がＬｗｉとなり、背景技術に係る（ｂ）の叙勲用額縁１００は、横寸法がＬｗｒとなる。したがって、本実施形態の叙勲用額縁１は、背景技術の叙勲用額縁１００に対して、横寸法はＬｗｐだけ短くなり、概ね２５〔％〕のサイズダウンとなる。さらに、本実施形態の叙勲用額縁１は、縦寸法がＬｈｉとなり、背景技術の叙勲用額縁１００は、縦寸法がＬｈｒとなる。したがって、本実施形態の叙勲用額縁１は、背景技術の叙勲用額縁１００に対して、縦寸法はＬｈｐだけ短くなり、概ね１３〔％〕のサイズダウンとなる。この結果、面積比により対比した場合、本実施形態の叙勲用額縁１は、背景技術の叙勲用額縁１００に対して、概ね６５〔％〕の大きさとなり、大幅なサイズダウンを実現することができる。
【００５３】
このように、本実施形態に係る叙勲用額縁１によれば、透明板３，３ｅの前面３ｆ，３ｅｆであって、勲記収容部５に収容された勲記Ｍｐに表示される勲章図案部Ｍｐｍの前方に、勲章Ｍｍを保持する勲章保持具７を取付けることにより勲章保持部６を構成するようにしたため、従来のような勲章を配置する第二の配置部を実質的に無くすことができる。この結果、額縁１全体の大幅なサイズダウンを図ることができるとともに、額縁１の設置性及び低コスト性を飛躍的に高めることができる。
【００５４】
また、勲記Ｍｐに表示される勲章図案部Ｍｐｍの前方に勲章Ｍｍを保持することができるため、勲章図案部Ｍｐｍを隠した状態で、その前方に実際の勲章Ｍｍを浮き上がらすことができる。この結果、立体感を醸し出すことが可能となり、勲記Ｍｐの品格を高めることができる。しかも、勲章Ｍｍは、勲記Ｍｐにおける勲章図案部Ｍｐｍの位置に配することができるため、勲記Ｍｐに対して違和感なくマッチングさせることが可能になるなど、叙勲用額縁１としてのユニーク性及びオリジナル性を高めることができる。
【００５５】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００５６】
例えば、勲章Ｍｍを保持する勲章保持具７の取付位置を、勲記収容部５に収容された勲記Ｍｐに表示される勲章図案部Ｍｐｍの前方を選定することが最も望ましいが、この勲章図案部Ｍｐｍに関連する部位の前方に取付ける場合を排除するものではない。したがって、例えば、勲章図案部Ｍｐｍに対して、高さは一致するが左右に位置する余白部分に取付けることも可能である。同様に、菊紋章アイテムＫの固定位置を、勲記収容部５に収容された勲記Ｍｐに表示される菊紋章図案部Ｍｐｋの前方を選定することが最も望ましいが、この菊紋章図案部Ｍｐｋに関連する部位の前方に固定する場合を排除するものではない。したがって、例えば、菊紋章図案部Ｍｐｋに対して、左右の位置は一致するが、菊紋章図案部Ｍｐｋの下方に位置する余白部分に固定することも可能である。
【００５７】
また、勲章保持具７は、勲章Ｍｍの綬部Ｍｍｒを吊下げる保持金具７ｓ，７ｔを用いた例を示したが、勲章Ｍｍを保持する機能を有するものであれば、他の各種形状や構造（形態）により置換できるとともに、保持する位置も、勲章Ｍｍの一カ所であってもよいし、二か所以上であってもよい。一方、額縁枠部２は、内縁部２ｉの形状を、勲記Ｍｐの外形にほぼ一致させることが最も望ましい形態として実施できるが、勲記Ｍｐの外形よりもやや大きくして化粧面を設けるなど、他の形態や大きさを排除するものではない。なお、菊紋章アイテムＫを設けることは最も望ましい形態として奨励できるが、菊紋章アイテムＫを設けるか否かは任意であり、必須の構成要件となるものではない。
【産業上の利用可能性】
【００５８】
本発明に係る叙勲用額縁は、額縁枠部により保持された透明板と背面板間に勲記を収容する勲記収容部と、勲章を保持する勲章保持部とを備える各種叙勲用額縁に利用することができる。
【符号の説明】
【００５９】
１：叙勲用額縁，２：額縁枠部，２ｉ：額縁枠部の内縁部，３：透明板，３ｅ：透明板，３ｐ：透明保護板，３ｆ：透明板の前面，３ｅｆ：透明板の前面，４：背面板，５：勲記収容部，６：勲章保持部，７：勲章保持具，７ｓ：保持金具，７ｔ：保持金具，８：勲章ケース収納部，Ｌｉ：所定間隔，Ｍｐ：勲記，Ｍｐｍ：勲章図案部，Ｍｐｋ：菊紋章図案部，Ｍｍ：勲章，Ｍｍｒ：勲章の綬部，Ｋ：菊紋章アイテム，Ｃｍ：勲章ケース
【図１】
2020031751.tif 000003
【図２】
2020031751.tif 000004
【図３】
2020031751.tif 000005
【図４】
2020031751.tif 000006
【図５】
2020031751.tif 000007
【図６】
2020031751.tif 000008
【図７】
2020031751.tif 000009
【図８】
2020031751.tif 000010
【図９】
2020031751.tif 000011
【図１０】
2020031751.tif 000012
【図１１】
2020031751.tif 000013
【図１２】
2020031751.tif 000014